(57)【要約】【課題】野縁受けを支持するハンガーを、取付けボルトに螺合された取付け用のナットを用いて固定するとき、取付け用のナットが様々な振動を受け続けたとしても緩んでハンガーのずれ動きを起こすことのない天井下地構造体を提供する。【解決手段】天井下地構造体１０を構成するハンガー１２は、躯体天井部から下がる取付けボルト１１を取付け板１７の孔に挿通させ、取付けボルトに１１螺合された第１，第２ナット１９，２０を取付け板１７の下側締付け面１７ａと上側締付け面１７ｂに対して締め付けて所定位置に固定されている。これらのナットは、ナット緩み止め手段２２，２４，２５によりその緩み防止が図られている。野縁受け１３は、ハンガー１２に支持され、野縁１４は野縁受けに連結されている。【選択図】図２
2010255307.tif 000002
【特許請求の範囲】
【請求項１】
建築構造物の躯体天井部に取り付けられた取付けボルトと、該取付けボルトに取り付けられたハンガーと、該ハンガーにより支持された野縁受けと、この野縁受けに連結された野縁とから構成され、前記ハンガーが、板状の基板と、この基板の一端からほぼ直角に張り出し、前記取付けボルトを挿通させる挿通部を備える取付け板と、前記基板の他端側に形成された野縁受け嵌合部とから形成され、前記ハンガーの前記取付け板が、前記挿通部を通る前記取付けボルトに螺合された第１，第２ナットを前記取付け板の下側締付け面と上側締付け面に締め付けて前記取付けボルトに固定される天井下地構造体において、
前記天井下地構造体が、前記第１ナット若しくは前記第１，第２ナットの両方の緩みを防止するナット緩み止め手段を備えていることを特徴とする天井下地構造体。
【請求項２】
前記ナット緩み止め手段が、前記ハンガーにおける前記取付け板の端縁から少なくとも１つの切り込みを入れて形成された第１突片から構成され、該第１突片が、屈曲されて前記取付け板の前記下側締付け面に接触する前記第１ナットの外周面に押し当てられて前記第１ナットの回り止めとされている請求項１に記載の天井下地構造体。
【請求項３】
前記ナット緩み止め手段が、前記第１突片を有する前記ハンガーにおける前記取付け板の前記端縁から少なくとも１つの切り込みを入れて形成された第２突片を備え、前記第２突片が、屈曲されて前記取付け板の前記上側締付け面に接触する前記第２ナットの外周面に押し当てられて前記第２ナットの回り止めとされている請求項２に記載の天井下地構造体。
【請求項４】
前記ナット緩み止め手段が、前記取付けボルトに着脱可能に装着されたナット緩み止めクリップから構成され、このナット緩み止めクリップが、前記第１ナットの下部に位置する上片部と前記第２ナットの上部に位置する下片部と、前記上片部と前記下片部とを連結する連結片部とから構成され、前記上片部と前記下片部とには、前記取付けボルトが嵌合する切欠き溝が形成され、
前記上片部と前記下片部とに形成された前記切欠き溝が、その内縁部に前記取付けボルトのネジ溝に嵌合可能な係止縁を備えている請求項１に記載の天井下地構造体。
【請求項５】
前記ナット緩み止めクリップの前記上片部及び前記下片部にそれぞれ形成された前記切欠き溝が、前記連結片部に連接している連接端とは反対側の先端縁から前記連接端に向かって切り込まれ、その幅寸法が、前記取付けボルトの有効径にほぼ等しいか、谷径より僅かに大きく、前記上片部及び前記下片部が、前記取付けボルトのピッチより僅かに小さい厚みの板材で形成されることで前記切欠き溝の前記内縁部それ自体が前記係止縁を形成している請求項４に記載の天井下地構造体。
【発明の詳細な説明】
【技術分野】
【０００１】
本発明は、天井下地構造体に関し、更に詳細には、例えば、建築構造物において野縁受けを支持するハンガーを躯体天井部に埋め込まれた取付けボルトに取り付ける際にこのボルトに螺合されたハンガー取付け用のナットの緩みを防止した天井下地構造体に関する。
【背景技術】
【０００２】
一般的に、鉄筋コンクリート造等の建築構造物における天井部には、該躯体天井部から所定の間隔を開けて天井下地構造体が設置されていることは既によく知られている。天井下地構造体は、多数の野縁と多数の野縁受けとを格子状に組み立てることにより構成され、野縁受けは、躯体天井部に埋め込まれた取付けボルトとこの取付けボルトに取り付けられたハンガーとにより支持され、野縁は、野縁受けに固定クリップなどを用いて連結されている。天井パネルは、この天井下地構造体の野縁に取り付けられる。
【０００３】
天井下地構造体は、天井パネルだけではなく、所謂、天井裏に配線される電線や通信ケーブル、或いは様々な設置物の支持に用いられる。野縁が連結される野縁受けは、特許文献１に開示されているようにハンガーにより支持され、このハンガーは、前述したように躯体天井部（天井スラブ）に埋め込まれた取付けボルトに２つのナットにより連結されている。この構造について更に詳しく説明すると、ハンガーは、細長い板材を該板材の表面に沿いかつ長手方向に直交する屈曲線により曲げて形成されている。すなわち、ハンガーは、基板部と、この基板部の一端からほぼ直角に張り出し、取付けボルト挿通用の孔を備える取付け板と、基板の他端から取付け板とは反対側にほぼ直角に張り出した受け板と、この受け板の先端部から基板の一端方向に該基板とほぼ平行に延長する押さえ板とから形成されている。
【０００４】
このようなハンガーを構成する押さえ板と、受け板と、押さえ板に対面する基板の一部とがＵ字形を呈し、このＵ字形部が野縁受け部となって、その内側の溝部に野縁受けが嵌合されてこれを支持する構造となっている。このようなハンガーが躯体天井部に実質的に埋め込まれた取付けボルトに取り付けられる際には、該取付けボルトに予め１つのナットが螺合され、次いでこの取付けボルトを相対的に取付け板の孔に通した後にもう１つのナットを取付けボルトに螺合し、所定位置で取付け板を２つのナットで挟み込むことによりハンガーが固定される。
【先行技術文献】
【特許文献】
【０００５】
【特許文献１】特開２００８−０２５２７１号公報
【発明の概要】
【発明が解決しようとする課題】
【０００６】
ところで、建築構造物は、その立地にもよるが、道路を走行する車両によって発生する振動、地上及び地下を走る鉄道によって発生する振動、地震による震動など人には感じない低周波或いは高周波の様々な振動を受け続けている。そのため、建築構造物の内部に前述したような手法で取り付けられている天井下地構造体では、取付けボルトに螺合され、かつハンガーの取付け部を挟み込んでいるナットが長期の間に緩み、ハンガーが次第に下方にずれ動く。天井下地構造体の各野縁受けは、多数の取付けボルトそれぞれに取り付けられたハンガーにより、所高さ位置に吊下げ支持されているので、ハンガーの一つ若しくは幾つかが所定の位置から下方へずれ動くと、実質的に用をなさなくなり、天井下地構造体の全荷重は、正常な位置にある他のハンガーに掛かることになって、予め設計した荷重支持分布に狂いが生じ、さらに引き続きこの種の振動を受け続けると機能しなくなったハンガーの数が加速的に増え、かかる荷重支持分布の狂いは益々大きくなる。
【０００７】
このように幾つかのハンガーが、実質的に荷重を受けない状態、即ち機能しなくなると、前述したように荷重支持分布の狂いが加速し始め、そのような状態の時に比較的に大きな地震などがあると、天井下地構造体の揺れが大きくなってハンガーや取付けボルトに大きな衝撃を与える。また、天井下地構造体が大きく揺れるようになると、その結果として、天井下地構造体が壁などに衝突し、やはりハンガーや取付けボルトに大きな衝撃を与え、引いては天井パネルの落下や天井下地構造体それ自体の破壊などを起こすことも予想される。
【０００８】
本発明の目的は、かかる従来の問題点を解決するためになされたもので、野縁受けを支持するハンガーを、取付けボルトに螺合された取付け用のナットを用いて固定するとき、取付け用のナットが様々な振動を受け続けたとしても緩んでハンガーのずれ動きを起こすことのない天井下地構造体を提供することにある。
【課題を解決するための手段】
【０００９】
本発明は、建築構造物の躯体天井部に取り付けられた取付けボルトと、該取付けボルトに取り付けられたハンガーと、該ハンガーにより支持された野縁受けと、この野縁受けに連結された野縁とから構成され、前記ハンガーが、板状の基板と、この基板の一端からほぼ直角に張り出し、前記取付けボルトを挿通させる挿通部を備える取付け板と、前記基板の他端側に形成された野縁受け嵌合部とから形成され、前記ハンガーの前記取付け板が、前記挿通部を通る前記取付けボルトに螺合された第１，第２ナットを前記取付け板の下側締付け面と上側締付け面に締め付けて前記取付けボルトに固定される天井下地構造体であり、その特徴とするところは、前記天井下地構造体が、前記第１ナット若しくは前記第１，第２ナットの両方の緩みを防止するナット緩み止め手段を備えていることにある。
【００１０】
本発明に係る天井下地構造体の他の実施形態としては、前記ナット緩み止め手段が、前記ハンガーにおける前記取付け板の端縁から少なくとも１つの切り込みを入れて形成された第１突片から構成され、該第１突片が、屈曲されて前記取付け板の前記下側締付け面に接触する前記第１ナットの外周面に押し当てられて前記第１ナットの回り止めとされている。
【００１１】
本発明に係る天井下地構造体の他の実施形態としては、前記ナット緩み止め手段が、前記第１突片を有する前記ハンガーにおける前記取付け板の前記端縁から少なくとも１つの切り込みを入れて形成された第２突片を備え、前記第２突片が、屈曲されて前記取付け板の前記上側締付け面に接触する前記第２ナットの外周面に押し当てられて前記第２ナットの回り止めとされている。
【００１２】
本発明に係る天井下地構造体の他の実施形態としては、前記ナット緩み止め手段が、前記取付けボルトに着脱可能に装着されたナット緩み止めクリップから構成され、このナット緩み止めクリップが、前記第１ナットの下部に位置する上片部と前記第２ナットの上部に位置する下片部と、前記上片部と前記下片部とを連結する連結片部とから構成され、前記上片部と前記下片部とには、前記取付けボルトが嵌合する切欠き溝が形成され、前記上片部と前記下片部とに形成された前記切欠き溝が、その内縁部に前記取付けボルトのネジ溝に嵌合可能な係止縁を備えている。
【００１３】
本発明に係る天井下地構造体の他の実施形態としては、前記ナット緩み止めクリップの前記上片部及び前記下片部にそれぞれ形成された前記切欠き溝が、前記連結片部に連接している連接端とは反対側の先端縁から前記連接端に向かって切り込まれ、その幅寸法が、前記取付けボルトの有効径にほぼ等しいか、谷の径より僅かに大きく、前記上片部及び前記下片部が、前記取付けボルトのピッチより僅かに小さい厚みの板材で形成されることで前記切欠き溝の前記内縁部それ自体が前記係止縁を形成している。
【発明の効果】
【００１４】
本発明に係る天井下地構造体によれば、該天井下地構造体が、第１ナット若しくは第１，第２ナットの両方の緩みを防止するナット緩み止め手段を備えているので、少なくとも第１ナットが振動により緩んで取付けボルトから外れる方向に回転しようとしても第１ナットが緩むことはなく、従ってハンガーのずれ動きも起こらないので、全ての取付けボルトへの均等な支持荷重を維持することができ、長期に亘って天井下地構造体の初期強度を維持することができる。すなわち、第１ナットは、ハンガーを介して野縁受け及びこれに連結されている野縁を懸架する主たる部品であるため、この第１ナットが振動により緩んで取付けボルトから外れる方向に回転すると、実質的に取付けボルトによるハンガーの吊下げ支持効果は失われる。そのため、少なくとも第１ナットの緩みが防止されれば、取付けボルトによるハンガーの吊下げ支持効果を維持することができる。
【００１５】
他方、第２ナットは、ハンガーが上方へ移動するのを防止するだけではなく、取付け板の下側締付け面に当接する第１ナットの締付け効果を発揮させる部品でもあるので、第２ナットの緩みを防止することは第１ナットの緩みを防止することにもなる。そのため、ナット緩み止め手段が、第１ナットのみならず第２ナットの緩みも防止することが好ましい。
【００１６】
本発明における他の実施形態に係る天井下地構造体によれば、ナット緩み止め手段が、ハンガーの取付け板の端縁から少なくとも１つの切り込みを入れて形成された第１突片から構成され、該第１突片が、屈曲されて取付け板の下側締付け面に接触する第１ナットの外周面に押し当てられて第１ナットの回り止めとされているので、この第１ナットが振動により緩んで取付けボルトから外れる方向に回転しようとしても第１突片にぶつかって回転が阻止される。その結果、第１ナットの緩みが起こらず、ハンガーのずれ動きも起こらないので、全ての取付けボルトへの均等な支持荷重を維持することができ、長期に亘って天井下地構造体の初期強度を維持することができる。
【００１７】
本発明における他の実施形態に係る天井下地構造体によれば、ナット緩み止め手段が、第１突片を有するハンガーの取付け板の端縁から少なくとも１つの切り込みを入れて形成された第２突片を備え、この第２突片が、屈曲されて取付け板の上側締付け面に接触する第２ナットの外周面に押し当てられて第２ナットの回り止めとされているので、第２ナットが振動により緩んで、取付け部の上側締付け面から離れる方向に回転しようとしても第２突片にぶつかって回転が阻止される。その結果、第２ナットの緩みが起こらず、ハンガーの取付け部が第１ナット及び第２ナットで強固に挟持され続ける。これにより、ハンガーのずれ動きが防止され、全ての取付けボルトへの均等な支持荷重を維持することができ、長期に亘って天井下地構造体の初期強度を維持することができる。
【００１８】
本発明の他の実施形態に係る天井下地構造体によれば、ナット緩み止め手段として別体のナット緩み止めクリップが取付けボルトに取り付けられ、このナット緩み止めクリップが、その上片部及び下片部に形成された切欠き溝に取付けボルトを相対的に嵌合させて取り付けられるとき、切欠き溝の内縁部に形成されている係止縁が取付けボルトのネジ溝に入り込んで係止するので、上片部と下片部とが取付けボルトの軸方向へ動くことはなく、これによりハンガーの取付け部を挟み込んで固定している第１ナット及び第２ナットの取付けボルト軸方向への移動が防止される。その結果、２つの各ナットの緩みが起こらず、ハンガーの取付け部が第１ナット及び第２ナットで強固に挟持され続ける。これにより、ハンガーのずれ動きが防止され、全ての取付けボルトへの均等な支持荷重を維持することができ、長期に亘って天井下地構造体の初期強度を維持することができる。切欠き溝の内縁部に形成される係止縁は、例えば、切欠き溝の内縁部における上下角部を面取りし、取付けボルトのピッチより小さな厚みになるように先細りにすることで形成することができる。
【００１９】
本発明の他の実施形態に係る天井下地構造体によれば、ナット緩み止めクリップにおける上片部及び下片部が、取付けボルトのピッチより僅かに小さい厚みの板材で形成されることで切欠き溝の内縁部それ自体が係止縁となっているので、取付けボルトのネジ溝に入り込む係止縁をわざわざ形成する必要がないことから、ナット緩み止めクリップが安価にかつ容易に準備することができる。
【図面の簡単な説明】
【００２０】
【図１】本発明の一実施形態に係る天井下地構造体を概略的に示す斜視図。
【図２】図１に示される天井下地構造体を構成する取付けボルトとハンガーとの取付け状態を示す斜視図。
【図３】取付けボルトにナットで固定されたハンガーを躯体天井部側から見た平面図。
【図４】図３に示される取付けボルトにナットで固定されたハンガーを示す正面図。
【図５】本発明の他の実施形態に係る天井下地構造体におけるハンガーと取付けボルトとの固定状態を示す斜視図。
【図６】図６に示されるハンガーを取付けボルトに固定するのに用いられるナット緩み止めクリップを示す斜視図。
【発明を実施するための形態】
【００２１】
図１には、本発明の好適な実施形態に係る天井下地構造体１０が概略的に示されている。この天井下地構造体１０は、建築構造物の躯体天井部（図示せず）に取り付けられた取付けボルト１１と、該取付けボルト１１に取り付けられたハンガー１２と、該ハンガー１２により支持された野縁受け１３と、この野縁受け１３に連結された野縁１４とから構成されている。天井パネルＰは、この野縁１４にビスなどを用いて取り付けられる。
【００２２】
野縁受け１３を支持するハンガー１２は、図２〜図４に示されるように細長い板状の基板１５と、この基板１５の一端１５ａからほぼ直角に張り出した取付け板１７と、基板１５の他端１５ｂ側に形成されたＵ字形部１８とから構成されている。取付け板１７には、取付けボルト１１を挿通させる挿通部としての孔１６が形成されている。Ｕ字形部１８は、基板１５の他端１５ｂから取付け板１７とは反対側にほぼ直角に張り出した受け板１８ａと、この受け板１８ａの先端部から基板１５の一端１５ａ方向に基板１５とほぼ並行に延長する押さえ板１８ｂと、この押さえ板１８ｂに対面する基板１５の一部とで形成され、このＵ字形部１８が野縁受け嵌合部を構成している。野縁受け１３は、通常、断面がコ字型の長尺材であり、Ｕ字形部１８の溝部１８ｃに嵌合されて支持される。
【００２３】
ハンガー１２は、取付けボルト１１を取付け板１７の孔１６に相対的に挿通させるように該取付けボルト１１に取り付けられ、取付けボルト１１に螺合された第１ナット１９と第２ナット２０とで取付け板１７の下側締付け面１７ａと上側締付け面１７ｂから挟むように締め付けることで所定位置に固定される。ハンガー１２における取付け板１７の上側締付け面１７ｂに当接する第２ナット２０は、図１から明らかなようにハンガー１２が上方へ移動するのを防止すると共に取付け板１７の下側締付け面１７ａに当接する第１ナット１９の締付け効果を発揮させる部品である。従って、第２ナット２０が緩んでも、直ちにハンガー１２に掛かる荷重が取付けボルト１１に伝達されなくなるものではない。そのため、取付け板１７の下側締付け面１７ａに当接する第１ナット１９の緩みが非常に大きな問題となる。すなわち、第１ナット１９が緩んで、取付けボルト１１から外れる方向に回転すると、取付け板１７から離れ、ハンガー１２に掛かる荷重は取付けボルト１１に伝達されず、実質的にこの取付けボルト１１とハンガー１２は機能しなくなる。
【００２４】
その結果として生じる一般的な現象について説明すると、天井下地構造体１０の全荷重は、正常な位置にある他のハンガーを介して取付けボルト１１に掛かることになり、予め設計した荷重支持分布に狂いが生じる。このような荷重支持分布の狂いは、他のハンガーを支持している取付けボルト１１への負荷を大きくし、引き続き受ける振動により同様に機能しなくなるハンガーの数が加速的に増え、かかる荷重支持分布の狂いは益々大きくなる。また、このように幾つかのハンガーが、実質的に荷重を受けない状態、即ち機能しなくなると、前述したように荷重支持分布の狂いが加速し始め、そのような状態の時に比較的に大きな地震などがあると、天井下地構造体の揺れが大きくなってハンガーや取付けボルトに大きな衝撃を与える。そして、天井下地構造体が大きく揺れると、その結果として、天井下地構造体が壁などに衝突し、やはりハンガーや取付けボルトに大きな衝撃を与え、引いては天井パネルの落下や天井下地構造体それ自体の破壊などを起こすことも予想される。
【００２５】
そこで、本発明の天井下地構造体１０は、ハンガー１２を取付けボルト１１に固定する２つのナットの緩みを防止するナット緩み止め手段を備えている。このナット緩み止め手段の一例が図１〜図４に示されている。すなわち、これらの各図に示される実施形態の天井下地構造体１０では、ハンガー１２における取付け板１７の端縁に形成された第１突片２２及び第２突片２３をナット緩み止め手段としている。これらの各突片２２，２３は、図２及び図３に示されるようにハンガー１２の取付け板１７の端縁に間隔をあけてそれぞれ２つの切り込み２１ａ，２１ｂ，２３ａ，２３ｂを入れることによってそれら切り込み間に形成されている。第１突片２２と第２突片２４は、取付け板１７の幅方向左右側部にそれぞれ寄った位置に形成されている。
【００２６】
第１突片２２は、ハンガー１２の取付け板１７が第１ナット１９及び第２ナット２０により取付けボルト１１の所定位置に固定された後に、第１ナット１９の外周面に向かって屈曲されて該第１ナット１９の外周面に押し当てられ、また、第２突片２４は、第２ナット２０の外周面に向かって屈曲されて該第２ナット２０の外周面に押し当てられる。このような第１突片２２と第２突片２４の折り曲げは、天井下地構造体１０を現場で組み立てる際に作業者によって行われる。図４は、第１突片２２と第２突片２４をそれぞれ曲げて第１ナット１９及び第２ナット２０の外周面に押し当てた状態を明瞭に示している。
【００２７】
これにより、第１ナット１９と第２ナット２０に振動などによる回転力が掛かっても、第１ナット１９及び第２ナット２０の外面が第１突片２２及び第２突片２４にそれぞれぶつかって回転が阻止されることになる。従って、第１突片２２及び第２突片２４はそれぞれ第１ナット１９と第２ナット２０の回り止めとして機能する。前述した実施形態では、第１突片２２と第２突片２３とが、それぞれ２つの切り込み２１ａ，２１ｂ，２３ａ，２３ｂによって形成されているが、取付け板１７の端縁両側部分にこれらの突片を形成しようとすれば、切り込みはそれぞれ１つで足りる。
【００２８】
次に、図５及び図６を参照して本発明の天井下地構造体１０が備えるナット緩み止め手段の別な例について説明する。すなわち、本発明の他の実施形態に係る天井下地構造体１０では、ナット緩み止め手段が、取付けボルト１１やハンガー１２とは別体に形成されたナット緩み止めクリップ（以下、クリップという）２５により構成されている。このクリップ２５は、取付けボルト１１に着脱可能に装着されるもので、上片部２６と、下片部２７と、これら上下両片部を連結する連結片部２８とから構成されたコ字形状を呈している。具体的には、このクリップ２５は、上片部２６が細長い連結片部２８の一端２８ａから該連結片部の表面にほぼ直交するように張り出し、また、下片部２７が連結片部２８の他端２８ｂから該連結片部の表面にほぼ直交するように、上片部２６と並行にかつ同じ方向に張り出して構成されている。このようなクリップ２５は、バネ性を有する比較的に薄い所定長さの金属板を折り曲げることにより一体的に形成されている。
【００２９】
上片部２６と下片部２７とのそれぞれには、図６に示されるように取付けボルト１１に装着するためのＵ字状の切欠き溝２６ａ，２７ａが形成されている。この切欠き溝２６ａは、連結片部２８の一端２８ａとは反対側に位置する上片部２６の先端部２６ｂ，２７ｂから連結片部２８の一端２８ａに向かって切り込まれ、その最深部は取付けボルト１１の半径と同じ曲率で湾曲されている。他方、切欠き溝２７ａについては、切欠き溝２６ａと全く同様に下片部２７に形成され、２つの切欠き溝２６ａ，２７ａは、上片部２６の上面から見たとき完全に整合する。このように上片部２６と下片部２７とは、それらに切欠き溝２６ａ，２７ａがそれぞれ形成されていることによりフォーク状を呈している。これらの切り込み溝２６ａ，２７ａの幅寸法Ｓは、取付けボルト１１の有効径又は谷径にほぼ等しくされている。
【００３０】
上片部２６と下片部２７との間隔は、図５から明らかなように各ナット１９，２０それぞれの基準寸法（ナットの厚み）の合計にハンガー１２における取付け板１７の厚みを加算した寸法とされている。ただし、上片部２６と下片部２７との間隔は、先端部２６ｂ，２７ｂに向かって次第に小さくなっている。そして、フォーク状をした上片部２６と下片部２７とのそれぞれ先端部２６ｂ，２７ｂは、相反する方向に僅かに反り返り、このクリップ２５を取付けボルト１１に装着するとき、相対的に上片部２６と下片部２７との間隔部に、取付け板１７の上下締付け面に当接している第１，第２ナット１９，２０を取付け板１７ごと挟み込み易くされている。
【００３１】
次に、クリップ２５の装着方法について説明する。ハンガー１２の取付け板１７が、取付けボルト１１を取付け板１７の孔１６に挿通させて第１，第２ナット１９，２０で挟み込まれるように所定位置に固定されると、作業者が図５に示されるように上片部２６と下片部２７の先端部２６ａｂ，２７ｂをハンガー１２の側方、即ち図５で見て右側又は左側から取付けボルト１１に向かうように所持し、取付け板１７を挟んでいる第１，第２ナット１９，２０を上片部２６と下片部２７との間に相対的に挿入するように、切欠き溝２６ａ，２７ａに取付けボルト１１を相対的に嵌め込んで装着される。そのとき、クリップ２５の上片部２６と下片部２７の先端側の間隔は、前述のように取付け板１７を挟んでいる２つのナット１９，２０間の寸法より僅かに小さいので、上片部２６と下片部２７とは強制的に広げられ、クリップ２５が取付けボルト１１に装着された後は、押し広げられた上片部２６と下片部２７との復元力がバネ力となって各ナット１９，２０に圧接する。
【００３２】
これにより、ハンガー１２の取付け板１７を上下締付け面１７ａ，１７ｂから締め付けている第１，第２ナット１９，２０が振動を受けて緩む方向に回転、言い換えれば取付け板１７から離れる方向に回転しようとしてもクリップ２５の上片部２６と下片部２７との挟み込み力により取付けボルト１１の軸方向への移動が阻止され、その結果、取付け板１７から離れる方向への回転が起こらないので、２つのナット１９，２０が緩むことはなく、ハンガー１２の取付け部１７が第１，第２ナット１９，２０により挟持され続ける。このように、このナット緩み止めクリップ２５は、上片部２６と下片部２７との挟み込み力により、取付け板１７を上下から締め付けている第１，第２ナット１９，２０を押さえつけて、緩み止めとしているが、上片部２６と下片部２７とに形成された切欠き溝２６ａ，２７ａの最深部及びその付近における内縁部に取付けボルト１１のネジ溝に嵌合可能な係止縁２９を形成することにより、上片部２６と下片部２７とが取付けボルト１１に対しその軸方向に拡大するのを防止するようにしておくことも好ましい。
【００３３】
すなわち、クリップ２５の上片部２６と下片部２７とに形成された切欠き溝２６ａ，２７ａにおけるその最深部及びその付近における内縁部に、取付けボルト１１のネジ溝に嵌合可能な係止縁２９を形成しておく。この係止縁２９は、クリップ２５が、上片部２６及び下片部２７に形成された切欠き溝２６ａ，２７ａに取付けボルト１１を相対的に嵌合させるように取り付けられるとき、取付けボルト１１のネジ溝に入り込んで取付けボルト１１の軸方向において係止するものである。これにより、クリップ２５が、取付けボルト１１に装着されると、上片部２６と下片部２７とが取付けボルト１１の軸方向へ動くことはなく、その結果、ハンガー１２の取付け部１７を挟み込んで固定している第１，第２ナット１９，２０の取付けボルト軸方向への移動が防止され、２つのナット１９，２０に緩みが起こらず、ハンガー１２の取付け部１７が第１ナット１９及び第２ナット２０で強固に挟持され続ける。
【００３４】
切欠き溝２６ａ，２７ａの内縁部に形成される係止縁２９は、図６に示されるように切欠き溝２６ａ，２７ａの内縁部における上下角部を面取りし、取付けボルト１１のネジピッチより小さな厚みになるように先細りにすることで形成することができる。あるいは、上片部２６及び下片部２７が、取付けボルト１１のネジピッチより僅かに小さい厚みの板材で形成されていれば、切欠き溝２６ａ，２７ａの内縁部それ自体が係止縁２９となるので、図６に示されるように内縁部における上下角部を面取りして取付けボルト１１のネジピッチより小さな厚みになるように先細りに加工する必要がないことから、クリップ２５を安価にかつ容易に準備することができる。
【００３５】
以上説明したように、上記実施形態に係る天井下地構造体によれば、該構造体が、第１ナット若しくは第１，第２ナットの両方の緩みを防止するナット緩み止め手段を備えているので、少なくとも第１ナットが振動により緩んで取付けボルトから外れる方向に回転しようとしても第１ナットが緩むことはなく、従ってハンガーのずれ動きも起こらない。その結果、全ての取付けボルト１１への均等な支持荷重を維持することができ、長期に亘って天井下地構造体の初期強度を維持することができる。
【符号の説明】
【００３６】
１０    天井下地構造体
１１    取付けボルト
１２    野縁受けハンガー
１３    野縁受け
１４    野縁
１５    基板
１６    取付けボルト挿通用の孔
１７    取付け板
１８    Ｕ字形部
１９，２０    ナット
２１ａ，２１ｂ    切り込み部
２２    第１突片
２３ａ，２３ｂ    切り込み部
２４    第２突片
２５    ナット緩み止めクリップ
２６    上片部
２６ａ    切欠き溝
２７    下片部
２７ａ    切欠き溝
２９    係止縁
【図１】
2010255307.tif 000003
【図２】
2010255307.tif 000004
【図３】
2010255307.tif 000005
【図４】
2010255307.tif 000006
【図５】
2010255307.tif 000007
【図６】
2010255307.tif 000008